(57)【要約】      （修正有）【課題】各構造部を組立可能に構成したシステムベッドにおいて、各構造部を組立状態だけでなく別々の独立状態でも好適に用いることができるとともに、無駄な付加部材を低減し組立・分解時の手間を削減したり製造コストを低減したりすることが可能な構造を提供する。【解決手段】システムベッド１００は、相互に組立・分離可能に構成された机１１０を含む下段構造及び組立状態において下段構造上に設置されるベッド１５０を具備し、ベッドは寝台部１５３、１５４と寝台部の長さ方向両端部に接続された一対の端枠部１５１、１５２とを有し、独立状態では少なくとも一方の端枠部１５１が寝台部を基準として上方へ偏在する独立態様とされ、組立状態では少なくとも一方の端枠部が寝台部を基準として下方へ偏在する組立態様とされ、少なくとも一方の端枠部が下段構造に着脱可能に連結されて寝台部を支持する。【選択図】図１
0003129463.tif 000002
【実用新案登録請求の範囲】
【請求項１】
相互に組立・分離可能に構成された、机を含む下段構造、及び、組立状態において前記下段構造上に設置されるベッドを具備し、
前記ベッドは、寝台部と、該寝台部の長さ方向両端部に接続された一対の端枠部とを有し、独立状態では、前記一対の端枠部のうち少なくとも一方の前記端枠部が前記寝台部を基準として上方へ偏在する独立態様とされ、前記組立状態では、前記少なくとも一方の端枠部が前記寝台部を基準として下方へ偏在する組立態様とされ、前記少なくとも一方の端枠部が前記下段構造に着脱可能に連結されて前記寝台部を支持することを特徴とするシステムベッド。
【請求項２】
前記寝台部と前記少なくとも一方の端枠部とは相互に組立・分離可能に構成され、前記独立態様では前記少なくとも一方の端枠部が前記寝台部を基準として上方へ偏在するように取り付けられ、前記組立態様では前記少なくとも一方の端枠部が前記寝台部を基準として下方へ偏在するように取り付けられることを特徴とする請求項１に記載のシステムベッド。
【請求項３】
前記独立態様において前記一対の端枠部は相互に高さが異なるように構成され、
前記組立状態では、前記独立態様でより高く形成された第１の前記端枠部が前記一方の端枠部であって前記下段構造に直接に連結され、より低く形成された第２の前記端枠部が前記下段構造に介挿材を介して連結されることを特徴とする請求項１又は２に記載のシステムベッド。
【請求項４】
前記組立状態において前記第１の端枠部と前記第２の端枠部及び前記介挿材との間に架設される上部保持枠をさらに具備することを特徴とする請求項３に記載のシステムベッド。
【請求項５】
前記組立状態では、前記下段構造は前記机の幅方向両側に一対の棚がそれぞれ隣接配置されてなり、前記一対の端枠部が前記一対の棚にそれぞれ直接若しくは間接的に支持されることを特徴とする請求項１乃至４のいずれか一項に記載のシステムベッド。
【請求項６】
前記組立状態において一対の前記棚間に架設される下部保持枠をさらに具備することを特徴とする請求項５に記載のシステムベッド。
【考案の詳細な説明】
【技術分野】
【０００１】
本考案はシステムベッドに係り、特に、机の上方にベッドが配置されるように組立可能に構成されたシステムベッドの組立構造に関する。
【背景技術】
【０００２】
一般に、従来から机や棚とベッドとを組み合わせてなるシステムベッドが知られており、このシステムベッドにおいては、下段に配置された机や棚の上方にベッドを配置可能に構成することで、狭い居室の中に机や棚とベッドとをコンパクトに設置することができるようになっている。ところで、通常、ベッドの占有面積は机のそれに比べて大きいため、机の天板の平面寸法をベッドの平面寸法に合わせて、当該天板の上にベッドをそのまま載せることのできるような大面積のものとし、場合によっては天板の下に棚等を付設したり格納したりするようにしたものが販売されている。例えば、ベッドの平面寸法と同一寸法の天板を有する机を備えたシステムベッドにおいて、机の上方にベッドが配置される通常の組立態様の他に、机をベッドの下に配置して天蓋付きベッドとしたり、ベッドの下に机を交差させた姿勢としたりすることのできるものが提案されている（例えば、以下の特許文献１参照）。
【０００３】
また、下段に机とともに棚等を配置し、机と棚の上方にベッドが配置されるように構成したものも種々知られている。例えば、下段の机の天板を上段のベッドの平面寸法より小さなものとし、下段に生じた余剰の作業空間に棚等を設置してなる各種のシステムベッドが提案されている（例えば、以下の特許文献２乃至４参照）。
【特許文献１】特開２００５−１２４７４２号公報
【特許文献２】特開２００４−２４４２５号公報
【特許文献３】特開２００６−５５４６９号公報
【特許文献４】登録実用新案第３００５３９８号公報
【考案の開示】
【考案が解決しようとする課題】
【０００４】
しかしながら、前述の特許文献１乃至４に記載のシステムベッドにおいては、ベッド、机、棚等の各構造部を組立状態で用いることのみが想定されていたり、或いは、各構造部をそれぞれ独立に使用することも可能ではあるものの組立状態を主として用いるように設計されていたりすることから、別々に用いても使い勝手が悪かったり、設置態様のバリエーションが限られていたりするなどといった問題点がある。また、各構造部を別々に用いる場合には無駄な付加部材、例えば、ベッドを上段に配置するための専用の長い支柱などが必要となるので、組立に手間がかかったり製造コストが高くなったりするという問題点もある。
【０００５】
そこで、本発明は上記問題点を解決するものであり、その目的は、ベッドや机等の各構造部を組立可能に構成したシステムベッドにおいて、各構造部を組立状態だけでなく別々の独立状態でも好適に用いることができるとともに、無駄な付加部材を低減し、組立・分解時の手間を削減したり製造コストを低減したりすることが可能な構造を提供することにある。
【課題を解決するための手段】
【０００６】
斯かる実情に鑑み、本考案のシステムベッドは、相互に組立・分離可能に構成された、机を含む下段構造、及び、組立状態において前記下段構造上に設置されるベッドを具備し、前記ベッドは、寝台部と、該寝台部の長さ方向両端部に接続された一対の端枠部とを有し、独立状態では、前記一対の端枠部のうち少なくとも一方の前記端枠部が前記寝台部を基準として上方へ偏在する独立態様とされ、前記組立状態では、前記少なくとも一方の端枠部が前記寝台部を基準として下方へ偏在する組立態様とされ、前記少なくとも一方の端枠部が前記下段構造に着脱可能に連結されて前記寝台部を支持することを特徴とする。
【０００７】
この考案によれば、机を含む下段構造と、組立状態において下段構造上に設置されるベッドとを具備するシステムベッドにおいて、上記ベッドは、独立状態では少なくとも一方の端枠部が寝台部を基準として上方へ偏在する独立態様とされ、組立状態では上記少なくとも一方の端枠部を寝台部を基準として下方へ偏在する組立態様とした上でベッドが下段構造上に設置され、上記少なくとも一方の端枠部が下段構造に着脱可能に連結されて寝台部が支持される。その結果、独立状態では独立態様の上記少なくとも一方の端枠部を寝台部を基準として上方へ偏在する前板（ヘッドボード）若しくは後板（フットボード）等として用いることができるとともに、組立状態では組立態様の上記少なくとも一方の端枠部の下方に偏在する部分を机とベッドの間の空間を確保するための脚部としてそのまま利用することが可能になり、また、当該脚部が下部構造に連結されることから下段構造の設置面から上段のベッドに至る長尺の支柱を設ける必要もなくなるため、組立状態のみに用いる付加部材の量を低減でき、その結果、組立・分解の手数も軽減される。したがって、各構造部を組立状態だけでなく別々の独立状態でも好適に用いることができるとともに、無駄な付加部材の量を低減し、組立・分解時の手間を削減したり製造コストを低減したりすることが可能になる。
【０００８】
本考案において、前記寝台部と前記少なくとも一方の端枠部とは相互に組立・分離可能に構成され、前記独立態様では前記少なくとも一方の端枠部が前記寝台部を基準として上方へ偏在するように取り付けられ、前記組立態様では前記少なくとも一方の端枠部が前記寝台部を基準として下方へ偏在するように取り付けられることが好ましい。
【０００９】
本考案においては、独立態様と組立態様とで少なくとも一方の端枠部の寝台部に対する偏在方向が上下に異なるようになっていればよいので、例えば、独立態様のベッド全体を上下に反転させることで組立態様とするものであってもよい。しかしながら、この場合には、寝台部自体も上下に反転した姿勢となるため、寝台部が上下反転しても同様に寝具等を支持することができるように寝台部を特殊な構造としておく必要がある。ところが、上記のように寝台部と少なくとも一方の端枠部とを組立・分離可能に構成し、寝台部に対する少なくとも一方の端枠部の取り付け態様を変更して独立態様と組立態様とを切り替えることにより、寝台部の姿勢自体に変化はないので、寝台部を特殊な構造としなくても足りる。この場合、独立態様と組立態様の切り替え方法としては、例えば、寝台部に対する少なくとも一方の端枠部の取り付け姿勢を上下反転させる方法でもよく、或いはまた、寝台部に対する少なくとも一方の端枠部の取り付けが上下２箇所以上で可能となるように構成しておき、寝台部に対して少なくとも一方の端枠部の取り付け位置を変更する方法であってもよい。
【００１０】
本考案において、前記独立態様において前記一対の端枠部は相互に高さが異なるように構成され、
【００１１】
前記組立状態では、前記独立態様でより高く形成された第１の前記端枠部が前記一方の端枠部であって前記下段構造に直接に連結され、より低く形成された第２の前記端枠部が前記下段構造に介挿材を介して連結されることが好ましい。これによって、独立状態においては、ベッドの両端に設けられる一対の端枠部の高さが異なるようにすることで、例えば、高い方の第１の端枠部を前板（ヘッドボード）等とし、低い方の第２の端枠部を後板（フットボード）等とすることができる。また、組立状態では、第１の端枠部を下方へ大きく偏在させて下部構造に直接連結することで介挿材を介することなく下部構造の机とベッドの寝台部との間に実用上十分な高低差を確保する一方で、第２の端縁部の下方への偏在量の不足分を介挿材を用いることで補うことができるため、独立状態でのベッドの形状を快適なものとしつつ、組立状態で必要だが独立状態では不要な追加部材の量を最小限に抑制することができる。なお、この場合において、第２の端枠部については組立態様で寝台部を基準として下方へ偏在させてもさせなくてもよい。
【００１２】
本考案において、前記組立状態において前記第１の端枠部と前記第２の端枠部及び前記介挿材との間に架設される上部保持枠をさらに具備することが好ましい。これによれば、上部保持枠を架設することで、下段構造上に設置されるベッドの寝台部の横揺れを低減できると共に、第２の端枠部と介挿材との接続部の剛性を高めることも可能になる。
【００１３】
本考案において、前記組立状態では、前記下段構造は前記机の幅方向両側に一対の棚がそれぞれ隣接配置されてなり、前記一対の端枠部が前記一対の棚にそれぞれ直接若しくは間接的に支持されることが好ましい。これによって机の天板を好適な大きさに設定できるとともに、両サイドに棚を配置した使い勝手のよいシステムベッドを構成できる。この場合にはさらに、下部構造の配置精度や剛性を高めるために、前記組立状態において一対の前記棚間に架設される下部保持枠をさらに具備することが望ましい。また、下部構造の設置のバリエーションを広げるためには、一対の棚が机の天板と同じ高さに構成されることが望ましく、さらに、組立状態において全体をコンパクトにまとめつつ各部をそれぞれ大きく構成するには、一対の棚がベッドの幅と同じ幅若しくは奥行を有し、上記の下部構造においてその幅方向若しくは奥行方向がベッドの幅方向に沿う姿勢で設置されることが望ましい。
【考案を実施するための最良の形態】
【００１４】
以下、本考案の実施の形態を図示例と共に説明する。図１は本考案に係るシステムベッドの組立状態を示す概略前方斜視図、図２は同組立状態の概略後方斜視図である。この組立状態のシステムベッド１００は、机１１０、棚１２０，１３０，１４０、ベッド１５０を含み、机１１０と棚１２０及び１３０が下段に隣接配置され、下段構造１００Ａを構成している。この下段構造１００Ａの上方にはベッド１５０が配置されている。なお、棚１４０は棚１２０上に載置されている。
【００１５】
机１１０は天板１１１と４本の脚１１２とを有する。天板１１１の奥行方向の後端には延長板１１３がヒンジ等により回動可能に連結され、この延長板１１３は、天板１１１と面一に設定した状態（延長板１１３を天板１１１に沿って伸ばした状態）で図示しない支持具により保持可能に構成されている。図４は机１１０の概略後方斜視図を示す。机１１０は、後述するベッド１５０の幅よりも小さな奥行Ｄ１を有するが、図示二点鎖線で示すように上記の延長板１１３を伸ばした状態では、机１１０の奥行Ｄ２が後述するベッド１５０の幅と同一（略同一）になるように構成されている。
【００１６】
棚１２０及び１３０は机１１０の幅方向両側にそれぞれ隣接配置されている。棚１２０、１３０は机１１０と同一（略同一）の高さを有するように構成されている。すなわち、棚１２０、１３０の上面１２１、１３１は、机１１０の天板１１１の表面と同じ（略同じ）高さに形成されている。図示例の場合、棚１２０、１３０の幅（図示前後方向の寸法）が後述するベッド１５０の幅と同一（略同一）に設計されている。そして、机１１０の幅と、その幅方向両側に隣接配置した棚１２０及び１３０の奥行（図示左右方向の寸法）とを合算した値が後述するベッド１５０の長さと一致（略一致）するように設計されている。
【００１７】
ただし、上記の代わりに、棚１２０、１３０の奥行を後述するベッド１５０の幅と同一（略同一）に構成し、棚１２０、１３０の姿勢を変えて隣接配置して下段構造１００Ａを構成し、机１１０の幅と、その幅方向両側に隣接配置した棚１２０及び１３０の幅とを合算した値が後述するベッドの長さと一致（略一致）するように構成してもよい。
【００１８】
ベッド１５０は、長さ方向両端に設置された一対の端枠部１５１、１５２と、幅方向両端に設置され、端枠部１５１と１５２の間にそれぞれ連結されてなる側枠１５３、１５３とを有する。ここで、ベッド１５０を単独で使用する場合の様子（独立状態での使用態様）を示す図３を参照して、ベッド１５０の全体構成について説明する。図３に示すようにベッド１５０が独立状態で使用される場合には、端枠部１５１はベッド１５０の前板（ヘッドボード）等（棚板やブックシェルフ等であってもよい。）を構成し、端枠部１５２はベッド１５０の後板（フットボード）等（上記と同様）を構成する。また、側枠１５３間には底板１５４が架設されている。この底板１５４は側枠１５３の内面に設けられた段差部１５３ａに幅方向両端部を載置させることで支持されている。本実施形態では、上記一対の側枠１５３及び底板１５４が上述の寝台部を構成している。
【００１９】
独立状態において、端枠部１５１は寝台部を基準として上方へ偏在するように構成されている。すなわち、端枠部１５１の上下に亘る範囲のうち、寝台部の上方にある部分の高低差が、寝台部の下方にある部分の高低差より大きな割合を有する態様（以下、単に「独立態様」という。）となっている。また、本実施形態の場合、端枠部１５１は端枠部１５２よりも高く形成されている。通常のベッドでは機能性を考慮し前板（ヘッドボード）は後板（フットボード）よりも高くなるように構成されるので、これと同様に構成されるベッド１５０の独立態様は独立状態での使用に適合した態様となっている。
【００２０】
再び図１及び図２を参照して組立状態のシステムベッド１００について説明する。この組立状態では、上記ベッド１５０は、端枠部１５１が寝台部を基準として下方へ偏在した態様（以下、単に「組立態様」という。）とされている。本実施形態の場合、端枠部１５１は寝台部に対して着脱可能に連結されてなり、図３に示す独立態様にある状態から端枠部１５１を寝台部から取り外し、端枠部１５１を上下反転させた状態で再び寝台部に取り付けることで、図１及び図２に示すように端枠部１５１が寝台部を基準として下方へ偏在した組立態様とすることができる。
【００２１】
この場合、端枠部１５１と寝台部との連結構造としては、図３の右上図に示すように、端枠部１５１にスリット１５１ａを形成し、このスリット１５１ａ内を横断する係合軸１５１ｂを設ける一方、側枠１５３にはスリット１５１ａ内に挿入可能で係合軸１５１ｂに係合するフック１５３ｂを設けたものを用いる。このようにすると、端枠部１５１を上下反転させても、寝台部に対して支障なく取付けることができる。なお、上記連結構造は図３の右上図に示すものに限られず、公知の種々の連結構造を用いることができることは言うまでもない。
【００２２】
なお、本実施形態では端枠部１５１のみを上下反転させて組立態様となるように構成しているが、寝台部が上下反転しても使用可能に構成されていれば、ベッド１５０全体を上下反転させることによって端枠部１５１が寝台部に対して下方へ偏在するようにしても構わない。例えば、側枠１５３の高さ方向中間部において上下両側に向いた二つの段差１５３ａを背中合わせに形成し、寝台部が上下反転しても底板１５４を図３に示すものと同様に下方から支持できるように構成すればよい。
【００２３】
また、図３に点線で示すように、上記スリット１５１ａと係合軸１５１ｂよりなる連結構造と同様の別の取付部１５１ｃを端枠部１５１の上部に形成し、図３に示す独立態様の寝台部（側枠１５３）を端枠部１５１から一旦取り外して上記取付部１５１ｃに付け替えることでも、端枠部１５１が寝台部を基準として下方へ偏在する組立態様とすることができる。
【００２４】
上記のようにして組立態様とされたベッド１５０は、図１及び図２に示すように、下段構造１００Ａ上に設置される。このとき、ベッド１５０の端枠部１５１は上記棚１２０の上面１２１上に適宜の連結手段により直接に着脱可能に連結される。すなわち、端枠部１５１は下段構造１００Ａ上に設置されるベッド１５０の支持脚を構成する。具体的には、端枠部１５１の下端（例えば、下端の前後２箇所）に形成された連結穴（図示せず）と、この連結穴に対向する上面１２１の隅部（前後２箇所）に形成された連結穴（図示せず）とに共通の連結ロッドが収容配置されることで、端枠部１５１の下端と上面１２１の当接部分において棚１２０とベッド１５０とが固定される。ただし、このような連結手段としては、後述する各部の連結手段でも同様であるが、上記連結穴及び連結ロッドよりなる連結構造に限らず、着脱可能なものであれば、凹穴と凸部との嵌合構造や適宜の金具を用いるものなど、任意の連結構造を採用することができる。
【００２５】
一方、ベッド１５０のもう一方の端枠部１５２の下端は矩形状の介挿材１６０を介して棚１３０の上面１３１に着脱可能に連結される。ここで、端枠部１５２と介挿材１６０、介挿材１６０と棚１３０とは、それぞれ上記と同様の連結手段で相互に固定される。なお、この組立状態では、側枠１５３にはベッド１５０からの転落を防止するための安全枠１５５が上方から取り付けられている。
【００２６】
システムベッド１００の背面側においては、ベッド１５０の上記端枠部１５１と端枠部１５２及び介挿材１６０との間に横揺れ防止用の上部保持枠（横桟）１７０が架設されている。この上部保持枠１７０は、端枠部１５１と端枠部１５２にのみ固定されていてもよく、或いは、端枠部１５１と介挿材１６０にのみ固定されていてもよいが、一方の端部が端枠部１５１に固定され、他方の端部が端枠部１５２と介挿材１６０の双方に固定されることで、システムベッド１００の剛性をより高めることができる。ここで、上部保持枠１７０と端枠部１５１，１５２及び介挿材１６０との間の連結手段としては、着脱可能なものであれば、任意の連結構造を用いることができる。ただし、上記の連結穴と連結ロッドによる連結構造を用いた場所のようにベッド１５０の自重を利用することができないので、一方の部材に取り付けられた連結孔を有する連結具と、この連結孔を通して他方の部材に螺入される連結ネジのように、独立した保持固定機能を備えた連結手段が用いられる。
【００２７】
また、システムベッド１００の背面側においては、上記棚１２０と１３０との間に下部保持枠（横桟）１８０が連結されている。この下部保持枠１８０は、机１１０の幅方向両側に隣接配置される棚１２０及び１３０の位置を相互に規制し、システムベッド１００の剛性を向上させる。ここで、下部保持枠１８０と棚１２０、１３０との間の連結手段としては、着脱可能なものであれば、任意の連結構造を用いることができるが、上記と同様の独立した保持固定機能を備えた連結手段が用いられる。
【００２８】
なお、本実施形態の場合、棚１４０は特に他の部材と連結されることなく、単に棚１２０上に載置されているが、例えば机１１０上に載置されてもよく、また、上記の他の構成部材に対して適宜に着脱可能に連結されても構わない。
【００２９】
上記のように構成されたシステムベッド１００においては、図３に示す独立状態で用いられる独立態様のベッド１５０では端枠部１５１が寝台部を基準として上方へ偏在しているため、独立状態での使用に適した形状若しくは構造とすることができる。これに対して、図１及び図２に示す組立状態で用いられる組立態様のベッド１５０では、端枠部１５１が寝台部を基準として下方へ偏在しているため、端枠部１５１の下方へ伸びる部分を下段構造１００Ａ上に設置するための支持脚として用いることができることから、組立状態において必要となり独立状態において不要な付加部材の量を低減できる。例えば、ベッドを独立状態のままで組立状態とする場合には、机１１０の天板１１１とベッド１５０の寝台部の下面との間に所要の高低差を設けるために追加の介挿材を別途設けたり、或いは、机１１０や棚１２０、１３０の上部に支持脚となるように上方へ突出した突枠を設けたりする必要が生ずるが、前者の場合には上記付加部材として介挿材が余分に必要になるし、後者の場合には上記突枠が邪魔になることから机１１０や棚１２０，１３０を独立して使用しにくくなる。
【００３０】
また、組立状態においてベッド１５０は下段構造１００Ａ上に設置されるので、下段構造１００Ａの設置面（床面）から長尺の支柱を立ち上げなくてもよくなることから、上記端枠部１５１の下方へ偏在した部分の偏在量をそれほど大きくしなくても、机１１０の天板１１１とベッド１５０の寝台部との高低差を十分に確保することができる。
【００３１】
さらに、端枠部１５１を直接に下段構造１１０Ａに連結することにより、少なくともベッド１５０の長さ方向の一端側においては別の付加部材を全く用いずに寝台部を支持することが可能になる。
【００３２】
一方、独立状態においては、机１１０、棚１２０、１３０、１４０、及び、ベッド１５０の各構成部を独立に用いることができるが、上述のように机１１０や棚１２０、１３０は上方へ突出した組立時のための突枠などが存在せず上面が平坦に構成され、また、ベッド１５０は独立態様にすれば通常のベッドとしての使用に適した形状を有するので、各構成部を独立して使用した場合でも、違和感なしに用いることができ、使い勝手がよいという利点がある。
【００３３】
本実施形態では、机１１０の天板１１１の幅と、その両側に配置される棚１２０及び１３０の奥行とを合算した値がベッド１５０の長さに一致（略一致）しているので、システムベッド１００をコンパクトに構成することができる。また、下段構造１００Ａにおいて、机１１０と左右の棚１２０、１３０とが同一（略同一）の高さを有するため、下段構造１００Ａのバリエーションを広げることができ、また、下段構造１００Ａの態様を変更しても、例えば机１１０の片側に棚１２０、１３０を順次に隣接配置しても、下段構造１００Ａの高さが変化しないように構成できるため、上段のベッド１５０を支障なく設置することができるという利点がある。
【００３４】
尚、本考案のシステムベッドは、上述の図示例にのみ限定されるものではなく、本考案の要旨を逸脱しない範囲内において種々変更を加え得ることは勿論である。例えば、上記の実施形態では、ベッド１５０の一方の端枠部１５１についてのみ独立態様と組立態様とで上下に偏在方向が切り替わるようにしているが、他方の端枠部１５２についても上記と同様に上下に偏在方向を切り替えてもよい。この場合、独立態様の端枠部１５１と１５２を共に同じ高さとし、組立態様の端枠部１５１と１５２の下方への偏在量を同じに設定し、組立状態において端枠部１５１と１５２が共に下段構造１１０Ａに対して直接に連結されるように構成してもよい。
【００３５】
また、上記実施形態では、下段構造１００Ａの平面占有範囲と、その上段に設置されるベッド１５０の平面占有範囲とがほぼ対応していることにより、全体をコンパクトに設置することができるとともに、各構成部の寸法を大きく確保できるようにしているが、本考案はこのような態様に限定されるものではなく、上段のベッド１５０が下段構造１００Ａ上に設置可能に構成されていればよい。
【図面の簡単な説明】
【００３６】
【図１】システムベッドの実施形態の組立状態の概略前方斜視図。
【図２】同実施形態の組立状態の概略後方斜視図。
【図３】同実施形態の独立態様のベッドの概略斜視図及び端枠部と側枠の連結構造を示す図。
【図４】同実施形態の机の概略後方斜視図。
【符号の説明】
【００３７】
１００…システムベッド、１１０…机、１１１…天板、１２０、１３０、１４０…棚、１５０…ベッド、１５１、１５２…端枠部、１５３…側枠、１６０…介挿材、１７０…上部保持枠、１８０…下部保持枠
【図１】
0003129463.tif 000003
【図２】
0003129463.tif 000004
【図３】
0003129463.tif 000005
【図４】
0003129463.tif 000006